(57)【要約】【課題】人為的な手段を用いることなく、ゲーム機から得られる売上情報の時系列データに基づいて利用者数を容易に把握できる利用者把握システムを提供する。【解決手段】ゲーム機１から通信回線４に接続する売上データ収集装置２により、時刻を伴った売上データ３を通信回線４を用いて管理装置５に送る。上記管理装置５は、時刻情報に対応づけされたゲーム機１の売上情報の時系列データに基づいてゲーム機毎の利用者数を求める。【選択図】図１
2005074011.tif 000002
【特許請求の範囲】
【請求項１】
少なくともゲーム機の売上情報を通信媒体を介して送信するブース側装置と
上記ブース側装置から送信された上記ゲーム機の売上情報を上記通信媒体を介して受信して、時刻情報に対応づけされた上記ゲーム機の売上情報の時系列データに基づいて上記ゲーム機の利用者数を求める管理装置を備えることを特徴とする利用者把握システム。
【請求項２】
請求項１に記載の利用者把握システムにおいて、
上記ブース側装置は、上記ゲーム機の売上時刻が付加された売上情報を通信媒体を介して送信し、
上記管理装置は、上記ブース側装置からの上記ゲーム機の売上時刻が付加された売上情報から得られる時系列データに基づいて上記ゲーム機の利用者数を求めることを特徴とする利用者把握システム。
【請求項３】
請求項１または２に記載の利用者把握システムにおいて、
上記管理装置は、
上記ゲーム機の売上情報の時系列データに基づいて上記ゲーム機の利用者が同一人物であるか否かを判定する人物判定手段と、
上記ゲーム機の売上情報の時系列データと上記人物判定手段の判定結果に基づいて上記ゲーム機の利用者数を求める利用者数算出手段とを有することを特徴とする利用者把握システム。
【請求項４】
請求項１乃至３のいずれか１つに記載の利用者把握システムにおいて、
上記ゲーム機の売上情報は、対価物が投入されたという情報であって、
上記ブース側装置は、上記ゲーム機に対価物が投入されたことを検出する対価物投入検出手段を有することを特徴とする利用者把握システム。
【請求項５】
請求項１乃至４のいずれか１つに記載の利用者把握システムにおいて、
上記管理装置は、上記ゲーム機の売上情報および利用者数を時刻情報に対応づけて集計する集計手段を有することを特徴とする利用者把握システム。
【発明の詳細な説明】
【技術分野】
【０００１】
この発明は、利用者把握システムに関し、特にゲームセンターにおいてゲームを行っている利用者数を把握する利用者把握システムに関する。
【背景技術】
【０００２】
従来、ゲームを行っている利用者数の把握は、人為的な手段で実施されていた。
【０００３】
このようなゲームを行っている利用者数の把握を人為的な手段で実現する場合、人件費のコストが膨大になるという問題がある。
【発明の開示】
【発明が解決しようとする課題】
【０００４】
この発明は、上記実状に鑑みてなされたもので、人為的な手段を用いることなく、ゲーム機から得られる売上情報の時系列データに基づいて利用者数を容易に把握できる利用者把握システムを提供することにある。
【課題を解決するための手段】
【０００５】
上記目的を達成するため、この発明の利用者把握システムは、少なくともゲーム機の売上情報を通信媒体を介して送信するブース側装置と、上記ブース側装置から送信された上記ゲーム機の売上情報を上記通信媒体を介して受信して、時刻情報に対応づけされた上記ゲーム機の売上情報の時系列データに基づいて上記ゲーム機の利用者数を求める管理装置を備えることを特徴とする。
【０００６】
上記構成の利用者把握システムによれば、上記ブース側装置から送信されたゲーム機の売上情報を通信媒体を介して管理装置により受信して、時刻情報に対応づけされた上記ゲーム機の売上情報の時系列データに基づいてゲーム機の利用者数を求める。したがって、人為的な手段を用いることなく、ゲーム機から得られる売上情報の時系列データに基づいて利用者数を容易に把握できる。
【０００７】
また、一実施形態の利用者把握システムは、上記ブース側装置は、上記ゲーム機の売上時刻が付加された売上情報を通信媒体を介して送信し、上記管理装置は、上記ブース側装置からの上記ゲーム機の売上時刻が付加された売上情報から得られる時系列データに基づいて上記ゲーム機の利用者数を求めることを特徴とする。
【０００８】
上記実施形態の利用者把握システムによれば、上記ブース側装置から上記ゲーム機の売上時刻が付加された売上情報を通信媒体を介して送信されるので、受信側の管理装置で、売上情報に時刻情報を対応づける機能を備える必要がない。また、上記ブース側装置と管理装置との間の通信速度が遅いために売上情報が遅れて管理装置に受信されても対応することができる。
【０００９】
また、一実施形態の利用者把握システムは、上記管理装置は、上記ゲーム機の売上情報の時系列データに基づいて上記ゲーム機の利用者が同一人物であるか否かを判定する人物判定手段と、上記ゲーム機の売上情報の時系列データと上記人物判定手段の判定結果に基づいて上記ゲーム機の利用者数を求める利用者数算出手段とを有することを特徴とする。
【００１０】
上記実施形態の利用者把握システムによれば、上記売上情報の時系列データに基づいて上記ゲーム機の利用者が同一人物であるか否かを人物判定手段によって判定し、上記利用者数算出手段は、売上情報の時系列データと人物判定手段の判定結果に基づいてゲーム機の利用者数を求めるので、ゲーム機を連続使用している同一人物が複数の利用者として計数されないように利用者数から除外でき、ゲーム機の利用者数を正確に求めることができる。
【００１１】
また、一実施形態の利用者把握システムは、上記ゲーム機の売上情報は、対価物が投入されたという情報であって、上記ブース側装置は、上記ゲーム機に対価物が投入されたことを検出する対価物投入検出手段を有することを特徴とする。
【００１２】
上記実施形態の利用者把握システムによれば、上記対価物投入検出手段によりゲーム機に対価物(貨幣または貨幣に相当するもの)が投入されたことを検出することによって、ゲーム機の売上情報としての売上タイミングを的確に把握することができる。
【００１３】
また、一実施形態の利用者把握システムは、上記管理装置は、上記ゲーム機の売上情報および利用者数を時刻情報に対応づけて集計する集計手段を有することを特徴とする。
【００１４】
上記実施形態の利用者把握システムによれば、上記集計手段によりゲーム機の売上情報および利用者数を時刻情報に対応づけて集計することによって、ゲーム機毎の稼動状況を正確に把握できる。
【発明の効果】
【００１５】
以上より明らかなように、この発明の利用者把握システムによれば、ゲームセンターにおいて、ゲームに参加している利用者数を自動的に把握でき、ゲーム機の稼動状況に応じて人員を的確に配置することが可能となり、大幅に人件費を削減することができる。
【発明を実施するための最良の形態】
【００１６】
以下、この発明の利用者把握システムを図示の実施の形態により詳細に説明する。
【００１７】
図１はこの発明の実施の一形態の利用者把握システムの概略を示す構成図であり、１はゲーム機、２は上記ゲーム機１内に配置され、ゲーム機１の売上情報である売上データ(売上金額)を収集して送信するブース側装置の一例としての売上データ収集装置、３は上記売上データ収集装置２から送信されるゲーム機１の売上データと売り上げたときの時刻データ、４は上記売上データ収集装置２に一端が接続された通信媒体の一例としての通信回線、５は上記ゲーム機１の売上データと売り上げ時の時刻データに基づいて利用者数を求める管理装置である。上記通信回線４は、専用通信線やＬＡＮ(Local Area Network:ローカル・エリア・ネットワーク)または電灯線通信等を用いる。
【００１８】
また、図２は売上データ収集装置２と管理装置５の構成を示すブロック図を示している。なお、図２では、１台の売上データ収集装置２と管理装置５の一対一の構成を示しているが、複数の売上データ収集装置２が管理装置５に接続されいる形態においても同様である。
【００１９】
図２に示すように、上記売上データ収集装置２は、ゲーム機１(図１に示す)に対価物の一例としての貨幣(または貨幣に相当するものなど)が投入されたことを検出する対価物投入検出手段の一例としての売上検出部２aと、通信回線４に接続され、ゲーム機１の売上データと売上時刻を送信する通信部２bとを有している。上記売上データ収集装置２は、ゲーム機１に接続されている。
【００２０】
上記管理装置５は、パーソナルコンピュータであって、売上データと売上時刻に基づいてゲーム機１の利用者が同一人物であるか否かを判定する人物判定手段５aと、売上データと売上時刻に基づいてゲーム機毎の利用者数を求める利用者数算出手段５bと、上記利用者数算出手段５bにより求められたゲーム機毎の利用者数を時刻情報に対応づけて集計する集計手段５cと、カウンタ５dと、通信部５eを有している。上記人物判定手段５a,利用者数算出手段５b,集計手段５cおよびカウンタ５dは、ソフトウエアによって機能を実現している。なお、上記利用者数算出手段５b,カウンタ５dは、接続されるゲーム機毎に設けている。
【００２１】
次に、このゲーム機１の売上情報の時系列データによる利用者把握システムの動作を図３を参照して説明する。図３は、この利用者把握システムの利用者数を求める処理の内容を示すタイミング図であり、ゲーム機毎に同様の処理が行われる。
【００２２】
上記管理装置５の人物判定手段５aは、売上データが発生した時刻ｔ１、ｔ２、ｔ３、ｔ４から、売上の発生した時間の差分△ｔ５、△ｔ６、△ｔ７を演算する。そして、時間の差分△ｔ５、△ｔ６、△ｔ７と設定値Ｔとを比較し、差分が設定値Ｔよりも大きいときは、利用者数算出手段５bによりカウンタ５cを＋１する(ｃ３、ｃ４)。また、差分がＴよりも小さいときは、利用者数算出手段５bによりカウンタ５cを変化させない(ｃ２)。上記カウンタ５cは、利用者数算出手段５bにより最初の売上データにより初期値の１とする。
【００２３】
このように、上記人物判定手段５aは、売上の発生した時間間隔が所定時間(Ｔは例えば２０秒)よりも短いときは、ゲーム機１を利用している人物が同一であると判定し、売上の発生した時間間隔が所定時間(Ｔは例えば２０秒)よりも長いときは、異なる人物がゲーム機１を利用していると判定する。そうして、同一人物を除外して、利用者数算出手段５bによりゲーム機１の利用者数をカウンタ５cを用いて求める。
【００２４】
上記構成の利用者把握システムによれば、売上データ収集装置２から送信されたゲーム機の売上情報を通信回線４を介して管理装置５により受信して、ゲーム機１の売上情報の時系列データに基づいてゲーム機毎の利用者数を求めるので、人為的な手段を用いることなく利用者数を容易に把握することができる。
【００２５】
また、上記売上データ収集装置２からゲーム機１の売上データと時刻データを通信回線４を介して送信されるので、受信側の管理装置５で、売上情報に時刻情報を対応づける機能を備える必要がなく、また、売上データ収集装置２と管理装置５との間の通信速度が遅いために売上データを管理装置５が受信するのが遅れても対応することができる。
【００２６】
また、上記売上情報の時系列データに基づいてゲーム機１の利用者が同一人物であるか否かを人物判定手段５aによって判定し、売上情報の時系列データと人物判定手段５aの判定結果に基づいて利用者数算出手段５bはゲーム機毎の利用者数を求めるので、ゲーム機１を連続使用している同一人物が複数の利用者として計数されないように利用者数から除外することができ、ゲーム機毎の利用者数を正確に求めることができる。
【００２７】
また、上記売上データ収集装置２の売上検出部２aによりゲーム機１に対価物(貨幣または貨幣に相当するもの)が投入されたことを検出することによって、ゲーム機１の売上情報としての売上タイミングを的確に把握することができる。
【００２８】
また、上記管理装置５の集計手段５cによりゲーム機毎の売上データ(売上金額)と利用者数を時刻情報に対応づけて集計することによって、ゲーム機毎の稼動状況を正確に把握することができる。
【００２９】
また、この発明の利用者把握システムにおいて、利用者の画像を取り込んで画像認識処理することにより利用者が同一人物であるか否かを判別することによって、利用者数の精度を高めることができる。
【００３０】
上記実施の形態では、ブース側装置としての売上データ収集装置２から売上データと売り上げたときの時刻データが管理装置５に送信されたが、通信回線が高速である場合は、管理装置に時刻データを付与する機能を備えてもよい。この場合、ブース側装置に時計機能を備える必要がなくなるので、ブース側装置のコストを低減できる。
【００３１】
また、上記実施の形態では、上記管理装置５は、パーソナルコンピュータを用いたが、マイクロコンピュータと入出力回路などを備えた装置を用いてもよい。
【００３２】
また、上記実施の形態では、通信媒体としてＬＡＮや電灯線通信などの有線の通信回線４を用いた利用者把握システムについて説明したが、無線等を用いた他の通信媒体であってもよい。
【００３３】
さらに、上記実施の形態では、売上が発生する毎に売上時刻が付加された売上情報をブース側装置としての売上データ収集装置２から送信したが、例えば所定時間毎に売上情報と時刻情報をまとめてブース側装置から送信してもよい。
【図面の簡単な説明】
【００３４】
【図１】図１はこの発明の実施の一形態の利用者把握システムの概略を示す構成図である。
【図２】図２は上記利用者把握システムの売上データ収集装置と管理装置の構成を示すブロック図である。
【図３】図３は上記利用者把握システムの処理内容を説明するためのタイミング図である。
【符号の説明】
【００３５】
１…ゲーム機、
２…売上データ収集装置、
２a…売上検出部、
２b…通信部、
３…売上データと時刻データ、
４…通信回線、
５…管理装置、
５a…人物判定手段、
５b…利用者数算出手段、
５c…集計手段、
５d…カウンタ、
５e…通信部。
【図２】
2005074011.tif 000003
【図３】
2005074011.tif 000004
【図１】
2005074011.tif 000005